(57)【要約】【課題】ネットの側縁部が軸方向に位置ズレすることなく当該ネットを巻き取ることができるロール網戸を提供すること。【解決手段】ロール網戸は、巻取軸１３Ａ、ネットおよびガイドレールを備え、ネットは、ネット本体２０と、その側縁部に形成された被ガイド部３０とを有する。被ガイド部３０は、ネット本体２０に取り付けられた接続テープ３２と、接続テープ３２によってネット本体２０に接続されていると共にガイドレールのガイド溝に配置された抜止めシート３１とを有する。ネット本体２０、接続テープ３２および抜止めシート３１が合わさった厚さ寸法はガイド溝の開口幅寸法よりも大きい寸法とされる。抜止めシート３１には、ネット本体２０に沿ったフラットな当接外面３１Ａが形成される。【選択図】図５
2019190267.tif 000002
【特許請求の範囲】
【請求項１】
巻取軸と、前記巻取軸に繰出し可能に巻き取られたネットと、前記ネットを繰出し方向に案内するガイドレールとを備えており、
前記ネットは、ネット本体と、前記ネット本体の前記繰出し方向に沿った側縁部に形成された被ガイド部とを有しており、
前記ガイドレールは、一対の側壁部と、前記一対の側壁部の間に配置された底壁部と、前記一対の側壁部から互いに近接する方向に延出した一対の開口形成片部とを有しており、
前記一対の側壁部、前記底壁部および前記一対の開口形成片部によってガイド溝が形成されていると共に、前記一対の開口形成片部によって前記ガイド溝の開口が形成されており、
前記被ガイド部は、前記ネット本体に取り付けられた接続テープと、前記接続テープによって前記ネット本体に接続されていると共に前記ガイド溝に配置された抜止めシートとを有しており、
前記ネット本体、前記接続テープおよび前記抜止めシートが前記巻取軸の軸方向および前記繰出し方向に直交する方向に合わさった厚さ寸法は、前記ガイド溝の開口幅寸法よりも大きい寸法とされており、
前記抜止めシートには、前記ネット本体に沿ったフラットな当接外面が形成されている
ことを特徴とするロール網戸。
【請求項２】
請求項１に記載のロール網戸において、
前記抜止めシートはゴムシートによって構成されており、
前記接続テープは布テープによって構成されており、
前記抜止めシート、前記接続テープおよび前記ネット本体は縫製によって接合されている
ことを特徴とするロール網戸。
【請求項３】
請求項２に記載のロール網戸において、
前記抜止めシートは、前記ネット本体の両面のうちの一方の面側に配置されており、
前記接続テープは、前記ネット本体の両面のうちの他方の面側に配置されている
ことを特徴とするロール網戸。
【請求項４】
請求項２に記載のロール網戸において、
前記抜止めシートは、前記ネット本体の両面側に配置されており、
前記接続テープは、前記ネット本体の両面のうちの少なくとも片面側に配置されている
ことを特徴とするロール網戸。
【請求項５】
請求項２に記載のロール網戸において、
前記抜止めシートは、前記ネット本体の両面のうちの一方の面側に配置されており、
前記接続テープは、前記ネット本体の前記一方の面側であって前記抜止めシートおよび前記ネット本体の間に配置されている
ことを特徴とするロール網戸。
【請求項６】
請求項２から請求項５のいずれか一項に記載のロール網戸において、
前記抜止めシートの幅寸法は、１ｍｍ以上の寸法とされている
ことを特徴とするロール網戸。
【請求項７】
請求項１から請求項６のいずれか一項に記載のロール網戸において、
前記ネット本体は、互いに交差する経糸および緯糸を有しており、
前記ネット本体の経糸および緯糸の交点は融着されており、
前記ネット本体の経糸および緯糸の線径は０．０５〜０．３０ｍｍの範囲で設定されており、
前記ネット本体の各編目の開口幅寸法は０．５ｍｍ〜１．５ｍｍの範囲で設定されている
ことを特徴とするロール網戸。
【請求項８】
巻取軸と、前記巻取軸に繰出し可能に巻き取られたネットと、前記ネットを繰出し方向に案内するガイドレールとを備えており、
前記ネットは、ネット本体と、前記ネット本体の前記繰出し方向に沿った側縁部に形成された被ガイド部とを有しており、
前記ガイドレールは、一対の側壁部と、前記一対の側壁部の間に配置された底壁部と、前記一対の側壁部から互いに近接する方向に延出した一対の開口形成片部とを有しており、
前記一対の側壁部、前記底壁部および前記一対の開口形成片部によってガイド溝が形成されていると共に、前記一対の開口形成片部によって前記ガイド溝の開口が形成されており、
前記被ガイド部は、前記ネット本体に取り付けられた接続テープ部と、前記接続テープ部と一体に形成されて前記ガイド溝に配置された抜止めシート部とを有しており、
前記ネット本体および前記接続テープ部が合わさった厚さ寸法は、前記ガイド溝の開口幅寸法よりも小さい寸法とされており、
前記抜止めシート部の厚さ寸法は、前記ガイド溝の開口幅寸法よりも大きい寸法とされており、
前記抜止めシート部は、前記ネットの巻取状態において重なるフラットな当接外面および当接内面が形成されている
ことを特徴とするロール網戸。
【請求項９】
請求項１から請求項８のいずれか一項に記載のロール網戸において、
前記ネットを繰出し操作可能な可動框を備えており、
前記可動框には、その長手方向に沿ったスリット付きの係合筒部が形成されており、
前記ネット本体の繰出し側における端縁には被係合筒部が形成されており、
前記被係合筒部には、芯材が通されて前記係合筒部と係合されている
ことを特徴とするロール網戸。
【発明の詳細な説明】
【技術分野】
【０００１】
本発明は、ネット（網材）を繰出しおよび巻取可能なロール網戸に関する。
【背景技術】
【０００２】
従来、巻取軸に対して防虫ネットを繰出しおよび巻取自在に構成された巻取式の防虫網戸が知られている（特許文献１参照）。
この防虫網戸は、前記巻取軸を内蔵した巻取りボックスと、巻取ボックスの両端部から延びた一対のスクリーンガイドと、防虫ネットの左右の側縁部に取り付けられた係合用小突起とを備えており、係合用小突起は、スクリーンガイドに沿って移動可能であるとともに、スクリーンガイドに設けられたスリットの内縁に抜止状態に係合されている。
【先行技術文献】
【特許文献】
【０００３】
【特許文献１】実開平２−１２２８９０号公報
【発明の概要】
【発明が解決しようとする課題】
【０００４】
ところで、特許文献１に記載の巻取式の防虫網戸では、防虫ネットを巻取軸に巻き取った際に係合用小突起同士が押し付けあうことで、防虫ネットの左右両側端部の巻取位置が軸方向に位置ズレするおそれがある。
【０００５】
本発明の目的は、ネットの側縁部が軸方向に位置ズレすることなく当該ネットを巻き取ることができるロール網戸を提供することにある。
【課題を解決するための手段】
【０００６】
本発明のロール網戸は、巻取軸と、前記巻取軸に繰出し可能に巻き取られたネットと、前記ネットを繰出し方向に案内するガイドレールとを備えており、前記ネットは、ネット本体と、前記ネット本体の前記繰出し方向に沿った側縁部に形成された被ガイド部とを有しており、前記ガイドレールは、一対の側壁部と、前記一対の側壁部の間に配置された底壁部と、前記一対の側壁部から互いに近接する方向に延出した一対の開口形成片部とを有しており、前記一対の側壁部、前記底壁部および前記一対の開口形成片部によってガイド溝が形成されていると共に、前記一対の開口形成片部によって前記ガイド溝の開口が形成されており、前記被ガイド部は、前記ネット本体に取り付けられた接続テープと、前記接続テープによって前記ネット本体に接続されていると共に前記ガイド溝に配置された抜止めシートとを有しており、前記ネット本体、前記接続テープおよび前記抜止めシートが前記巻取軸の軸方向および前記繰出し方向に直交する方向に合わさった厚さ寸法は、前記ガイド溝の開口幅寸法よりも大きい寸法とされており、前記抜止めシートには、前記ネット本体に沿ったフラットな当接外面が形成されていることを特徴とする。
【０００７】
本発明のロール網戸の他の形態は、巻取軸と、前記巻取軸に繰出し可能に巻き取られたネットと、前記ネットを繰出し方向に案内するガイドレールとを備えており、前記ネットは、ネット本体と、前記ネット本体の前記繰出し方向に沿った側縁部に形成された被ガイド部とを有しており、前記ガイドレールは、一対の側壁部と、前記一対の側壁部の間に配置された底壁部と、前記一対の側壁部から互いに近接する方向に延出した一対の開口形成片部とを有しており、前記一対の側壁部、前記底壁部および前記一対の開口形成片部によってガイド溝が形成されていると共に、前記一対の開口形成片部によって前記ガイド溝の開口が形成されており、前記被ガイド部は、前記ネット本体に取り付けられた接続テープ部と、前記接続テープ部と一体に形成されて前記ガイド溝に配置された抜止めシート部とを有しており、前記ネット本体および前記接続テープ部が合わさった厚さ寸法は、前記ガイド溝の開口幅寸法よりも小さい寸法とされており、前記抜止めシート部の厚さ寸法は、前記ガイド溝の開口幅寸法よりも大きい寸法とされており、前記抜止めシート部は、前記ネットの巻取状態において重なるフラットな当接外面および当接内面が形成されていることを特徴とする。
【発明の効果】
【０００８】
本発明によれば、ネットの側縁部が軸方向に位置ズレすることなく当該ネットを巻き取ることができるロール網戸を提供することができる。
【図面の簡単な説明】
【０００９】
【図１】本発明の第１実施形態に係るロール網戸を示す横断面図。
【図２】図１に示すＩＩ−ＩＩ線に沿った縦断面図。
【図３】第１実施形態に係るロール網戸のネットおよびガイドレールを示す斜視図。
【図４】第１実施形態に係るロール網戸のネットおよび巻取軸を示す斜視図。
【図５】第１実施形態に係るロール網戸の要部の巻取状態を示す模式図。
【図６】第１実施形態の変形例に係るロール網戸の要部を示す模式図。
【図７】本発明の第２実施形態に係るロール網戸の要部の巻取状態を示す模式図。
【図８】第２実施形態に係るロール網戸の可動框を示す模式図。
【図９】第２実施形態の変形例に係るロール網戸の要部を示す模式図。
【発明を実施するための形態】
【００１０】
［第１実施形態］
以下、本発明の第１実施形態を図面に基づいて説明する。
図１，図２において、第１実施形態に係るロール網戸１は、建物の外壁開口部に固定される窓の窓枠に取り付けられるものである。ロール網戸１は、窓枠に固定される網戸枠１１（枠体）と、網戸枠１１の内部にて左右に開閉自在に設けられるネット１２（スクリーン）とを備えて構成されている。
以下の説明において、ロール網戸１の左右方向をＸ軸方向とし、ロール網戸１の上下方向をＹ軸方向とし、ロール網戸１の見込み方向（屋内外方向）をＺ軸方向とする。Ｘ，Ｙ，Ｚ軸方向は互いに直交する。
【００１１】
網戸枠１１は、収納ケース１３と、当接枠１４と、上レール枠１５と、下レール枠１６とを備えている。
収納ケース１３の内部には、ネット１２の端部が固定されて当該ネット１２を巻き取るＹ軸方向に沿った巻取軸１３Ａが設けられ、図示しないバネによって巻取軸１３Ａが巻取方向に付勢されることで、ネット１２が収納ケース１３内に収納されるようになっている。
【００１２】
ネット１２は、経糸２１と緯糸２２とが格子状に交差され、これらの交差部（交点）が融着されたネット本体２０（網材）と、ネット本体２０のＸ軸方向に沿った上下の側縁部に形成された被ガイド部３０と、ネット本体２０におけるＸ軸方向における閉鎖方向側の先端縁にＹ軸方向に沿って設けられる可動框２４とを備えている。
経糸２１および緯糸２２の線径は、例えば０．０５ｍｍ〜０．３０ｍｍの範囲で設定されてもよく、ネット本体２０の各編目の開口幅は０．５ｍｍ〜１．５ｍｍの範囲で設定されてもよい。このようなネット本体２０では、経糸２１および緯糸２２の線径が細くなるほど、捩れた場合に皺が生じやすい特性となる。
このネット１２をＸ軸方向に操作することで、ロール網戸１を開放状態および閉鎖状態に切り替える。具体的には、Ｘ軸方向における開放側である図１の左側に向かって可動框２４を操作し、巻取軸１３Ａにネット本体２０および被ガイド部３０を巻き取らせるとともに、可動框２４を収納ケース１３に当接させることでロール網戸１を開放状態とする。一方、Ｘ軸方向における閉鎖側である図の右側に向かって可動框２４を操作し、収納ケース１３からネット本体２０を繰り出すとともに、可動框２４を当接枠１４に当接させることでロール網戸１を閉鎖状態とする。
【００１３】
上レール枠１５および下レール枠１６には、それぞれネット１２の被ガイド部３０をＸ軸方向（ネット１２の繰出し方向）に沿って左右にスライド案内する樹脂製のガイドレール１７が設けられている。
上レール枠１５側のガイドレール１７は、図２に示すように、上レール枠１５に係合した底壁部１７１と、底壁部１７１から垂下した一対の側壁部１７２と、一対の側壁部１７２の下端からＺ軸方向において互いに近接する方向に延出した一対の開口形成片部１７３とを有しており、底壁部１７１、一対の側壁部１７２および一対の開口形成片部１７３によってＸ軸方向に延びたガイド溝１７Ａが形成されている。一対の開口形成片部１７３の間にはガイド溝１７ＡのＸ軸方向に沿った開口１７Ｂが形成されている。
下レール枠１６側のガイドレール１７は、上レール枠１５側のガイドレール１７と同様に形成されており、上下逆向きに配置されている。このため、一対の側壁部１７２は底壁部１７１から立ち上げられ、一対の開口形成片部１７３は底壁部１７１よりも下方に配置されている。
【００１４】
被ガイド部３０は、図２〜図４に示すように、Ｘ軸方向に沿ったゴムシートによって構成された抜止めシート３１と、抜止めシート３１をネット本体２０に接続したＸ軸方向に沿った接続テープ３２とを有している。
抜止めシート３１は、ガイドレール１７のガイド溝１７Ａに配置されている。抜止めシート３１は、断面略矩形状に形成されており、ネット本体２０とともに巻取軸１３Ａに巻取り可能な程度の可撓性を有している。抜止めシート３１のＸ軸方向およびＹ軸方向に規定される仮想面（ネット本体２０の面内方向に沿った面）に沿った外面は、フラットな当接外面３１Ａを構成している。第１実施形態では、抜止めシート３１のＹ軸方向における幅寸法Ｗ１（図４参照）は１ｍｍとされているが、ガイド溝１７ＡのＹ軸方向における深さ寸法よりも若干小さい寸法であれば、更に大きな幅寸法とされていてもよい。抜止めシート３１のＺ軸方向における厚さ寸法は、ガイド溝１７Ａの開口１７Ｂの幅寸法Ｗ（図２参照）やネット１２の巻取状態における径寸法を考慮して１．５ｍｍとされているが、これよりも大きい厚さ寸法であっても、またこれよりも小さい厚さ寸法であってもよい。また、抜止めシート３１のゴム硬度は、一般的な軟質ゴムのゴム硬度９０度以下とされており、例えば４０度〜８０度の範囲内で設定されてもよい。
接続テープ３２は、第１実施形態では布製のファスナーテープによって構成されている。接続テープ３２のＹ軸方向における幅寸法Ｗ２（図４参照）は、抜止めシート３１の幅寸法Ｗ１よりも大きい寸法とされており、図２，図３に示すようにガイド溝１７Ａから開口１７Ｂを通ってガイド溝１７Ａ外まで突出している。この接続テープ３２は、ネット本体２０の側縁部を補強して強度を高めていると共に、ネット本体２０の片面側でネット本体２０自体が開口形成片部１７３に摺接することを防いでいる。
この被ガイド部３０では、抜止めシート３１がネット本体２０の両面のうち巻取状態で外側に位置する一方の面である外面２５（図５参照）に沿って配置され、且つ、接続テープ３２がネット本体２０の両面のうち巻取状態で内側に位置する他方の面である内面２６（図５参照）に沿って配置されており、抜止めシート３１、接続テープ３２によってネット本体２０を挟んだ状態でまとめて縫製によって接合されている。第１実施形態では、抜止めシート３１、接続テープ３２およびネット本体２０は環縫いによって接合されている。抜止めシート３１、接続テープ３２およびネット本体２０がＺ軸方向に合わさった厚さ寸法Ｔ（図２参照）は、ガイド溝１７Ａの開口１７Ｂの幅寸法Ｗよりも大きい寸法とされている。このため、ネット本体２０がガイド溝１７ＡからＹ軸方向に引き抜かれようとしても、抜止めシート３１が開口形成片部１７３に当たるので、ネット本体２０が抜止めされる。
【００１５】
以下、第１実施形態に係るロール網戸１の動作について説明する。
図１に示す閉鎖状態から開放状態にするために可動框２４を左側に操作すると、巻取軸１３Ａが軸心を中心として巻取方向に回転し、ネット１２が巻取軸１３Ａによって巻き取られて収納ケース１３内に収納される。ネット本体２０が巻取軸１３Ａに断面渦巻き状に巻き取られた巻取状態では、抜止めシート３１の当接外面３１Ａは、図５に示すように、軸方向Ａに直交する直交方向Ｂにおいて接続テープ３２に当接しながら被ガイド部３０が重ね合わされる。このように、ネット１２の巻取状態では、前述したフラットな当接外面３１Ａが接続テープ３２に当接するので、抜止めシート３１に接続テープ３２が押し付けられてもネット本体２０に軸方向Ａへの位置ズレが生じるおそれがない。このため、ネット本体２０の側縁部の軸方向Ａへの位置ズレに起因してネット本体２０に皺などが発生することが抑制される。
【００１６】
［第１実施形態の効果］
（１）第１実施形態では、ロール網戸１は、特にネット１２の被ガイド部３０が、ネット本体２０に取り付けられた接続テープ３２と、接続テープ３２によってネット本体２０に接続されていると共にガイド溝１７Ａに配置された抜止めシート３１とを有しており、これらが合わさった厚さ寸法Ｔが、ガイド溝１７Ａの開口１７Ｂの幅寸法Ｗよりも大きい寸法とされており、抜止めシート３１には、ネット本体２０に沿ったフラットな当接外面３１Ａが形成されていることを特徴とする。上記構成を有するため、ネット１２の繰出しや巻取りに際してネット本体２０が巻取軸１３Ａの軸方向Ａにおいて内側へ抜ける方向に位置ズレしようとしても、ガイド溝１７Ａにある抜止めシート３１がガイドレール１７の開口形成片部１７３に当接することで、ネット本体２０を抜け止めすることができる。また、ネット１２が巻取軸１３Ａに巻き取られる際、抜止めシート３１はネット本体２０と共に撓められ、当接外面３１Ａはネット１２のうち巻取軸１３Ａの軸方向Ａに直交する直交方向Ｂに対向する部分に重ね合わされる。本実施形態では、当接外面３１Ａが接続テープ３２に重ね合わされる。このため、抜止めシート３１および接続テープ３２が巻取時に押し付けあっても、ネット１２の側縁部が軸方向Ａに位置ズレするおそれをなくすことができる。加えて、ネット本体２０を抜け止めする抜止めシート３１自体に前述したフラットな当接外面３１Ａを形成したので、巻取時に重ね合わされる当接部を抜止めシート３１とは別個に設ける必要がなくロール網戸１を簡易な構成にできる。
（２）抜止めシート３１はゴムシートによって構成されており、接続テープ３２は布テープによって構成されており、抜止めシート３１、接続テープ３２およびネット本体２０は縫製によって接合されている。このため、例えば抜止めシート３１、接続テープ３２およびネット本体２０を接着によって接合する場合と比べて、縫製によって一工程で接合することができて製造コストを低減できる。また、ゴムシートおよび布テープの可撓性などの特性が異なるが、これらを縫製によって接合することで、例えば接着によって接合する場合と比べて、ネット１２の繰出しや巻取りによって分離しにくい構成にできる。
（３）抜止めシート３１は、ネット本体２０の外面２５側に配置されており、接続テープ３２は、ネット本体２０の内面２６側に配置されているので、ネット１２の巻取状態では抜止めシート３１の当接外面３１Ａがネット本体２０ではなく接続テープ３２に当接することとなる。このため、例えば当接外面３１Ａがネット本体２０と当接する場合と比べて当接面積を増やすことができ、ネット１２の巻取りにおける側縁部の軸方向Ａへの位置ズレをより強く抑制することができる。また、抜止めシート３１がネット本体２０の外面２５側だけに配置されているので、例えば抜止めシート３１がネット本体２０の両面２５，２６側にそれぞれ配置される場合と比べて、ネット１２の側縁部の厚さ寸法Ｔを小さくでき、これにより、ネット１２の巻取状態における径寸法を小さくすることができる。
（４）抜止めシート３１の幅寸法Ｗ１は１ｍｍ以上の寸法とされているので、ネット本体２０および接続テープ３２とまとめて縫製接合する際に切れにくい構成にできる。
（５）ネット本体２０の経糸２１および緯糸２２の交点は融着されており、これらの線径は０．０５〜０．３０ｍｍの範囲で設定されており、ネット本体２０の各編目の開口幅寸法は０．５ｍｍ〜１．５ｍｍの範囲で設定されている。このため、例えば前述した線径よりも太い経糸および緯糸によって形成されたネット本体と比べて、各編目の開口幅寸法を小さくできるものの、ネット本体２０が捩れて皺が生じやすく、ネット１２の巻取時にその側縁部が軸方向Ａへ位置ズレしやすい構成となる。本実施形態では、このようなネット本体２０を採用しているが、抜止めシート３１にフラットな当接外面３１Ａを形成しているので、前述したようにネット１２の側縁部が軸方向Ａへ位置ズレすることを抑制できる。
【００１７】
第１実施形態に係るロール網戸１の変形例は次の通りである。
例えば図６（Ａ）に示すように、被ガイド部３０は、ネット本体２０の内面２６側に配置された抜止めシート３３を更に備えていてもよい。抜止めシート３３は、抜止めシート３１と同様に形成されてフラットな当接外面３１Ａを有しており、抜止めシート３１とはＺ軸方向に逆向きに配置されている。この抜止めシート３３も抜止めシート３１、接続テープ３２およびネット本体２０とともにまとめて縫製接合されている。このような構成によれば、ネット１２の巻取状態では抜止めシート３１、すなわちゴムシートの当接外面３１Ａ同士が当接するので、滑りを生じにくくでき、ネット１２の巻取りにおける側縁部の軸方向Ａへの位置ズレをより強く抑制することができる。なお、接続テープ３２は、ネット本体２０の両面２５，２６側にそれぞれ配置されて当該両面２５，２６を保護する構成（図示省略）とされていてもよい。
また、例えば図６（Ｂ）に示すように、抜止めシート３１がネット本体２０の外面２５側に配置され、接続テープ３２もネット本体２０の外面２５側であって抜止めシート３１およびネット本体２０の間に挟まれて配置されていてもよい。このような構成によれば、ネット１２を巻取軸１３Ａに巻取りはじめる際、巻取軸１３Ａの周面には接続テープ３２などが介在されることなくネット本体２０だけが巻き回されるので、ネット本体２０自体に段部等が形成されずに巻き回すことができる。
【００１８】
第１実施形態では、抜止めシート３１がネット本体２０の外面２５側に配置されており、接続テープ３２がネット本体２０の内面２６側に配置されているが、これとは逆に、抜止めシート３１が内面２６側に配置され、接続テープ３２が外面２５側に配置されていてもよい。
第１実施形態では、抜止めシート３１の幅寸法Ｗ１は、１ｍｍ以上の寸法とされているが、縫製によって切れない構成とされている場合には１ｍｍよりも小さい寸法とされていてもよい。
第１実施形態では、抜止めシート３１は、ゴムシートによって構成されることとしたが、このほか、抜止めをするのに適切な厚みをもたせた軟質樹脂シート、布シートなどによって構成されていてもよい。また、接続テープ３２は、布製のファスナーテープによって構成されることとしたが、このほか、軟質樹脂製のファスナーテープによって構成されていてもよい。更に、抜止めシート３１、接続テープ３２およびネット本体２０が環縫いによって接合されることとしたが、他の縫い方によって縫製接合されていてもよく、また、縫製しない場合には、接着等によって接合されていてもよい。
第１実施形態では、ガイドレール１７は樹脂製であるが、アルミ製の押出形材によって形成されていてもよい。
第１実施形態では、経糸２１と緯糸２２とが格子状に交差され、これらの交点が融着されたネット本体２０を採用しているが、このほか、経糸２１と緯糸２２とが格子状に平織され、交点が融着されていないネット本体であってもよい。また、経糸２１および緯糸２２の線径が０．０５〜０．３０ｍｍの範囲で設定されているが、この範囲よりも太い線径や細い線径であってもよい。また、ネット本体２０の各編目の開口幅寸法が０．５ｍｍ〜１．５ｍｍの範囲で設定されているが、これよりも開口幅寸法が大きくても小さくてもよい。
【００１９】
[第２実施形態]
以下、本発明の第２実施形態を図面に基づいて説明する。
第２実施形態に係るロール網戸は、第１実施形態に係るロール網戸１の構成と概略同様に構成されているが、被ガイド部３０および可動框２４に代えて、被ガイド部３０Ｂおよび可動框２４Ｂを備えている（図７および図８参照）。
被ガイド部３０Ｂは、図７に示すように抜止めシート部３４および接続テープ部３５を有しており、熱可塑性エラストマーなどのゴム押出成形体として一体に形成されている。被ガイド部３０Ｂは、ネット本体２０ともに巻取軸１３Ａに巻取り可能な程度の可撓性を有している。被ガイド部３０Ｂの硬度は５０度以上、より好ましくは７０度以上とされている。
接続テープ部３５は、ネット本体２０の内面２６（巻取状態で内側に位置する面）と重ね合わされた状態で当該ネット本体２０に縫製されている。接続テープ部３５およびネット本体２０が合わさった厚さ寸法はガイド溝１７Ａの開口１７Ｂの幅寸法Ｗよりも小さい寸法とされており、このため、接続テープ部３５およびネット本体２０が合わさった部分を開口１７Ｂに配置可能である。なお、接続テープ部３５はネット本体２０に縫製されているが、これに限らず、接着されていてもよい。
抜止めシート部３４は、接続テープ部３５の長手方向に沿った側縁に連続しており、巻取軸１３Ａの軸方向Ａに直交する直交方向Ｂにおいて接続テープ部３５に対して外側に突出している。抜止めシート部３４の巻取状態で外側に位置する面はフラットな当接外面３４Ａとして構成されており、抜止めシート部３４の巻取状態で内側に位置する面はフラットな当接内面３４Ｂとして構成されている。ネット本体２０の長手方向に沿った側縁部は、抜止めシート部３４の側面のうち接続テープ部３５側に位置する側面３４Ｃに当てられており、このため、ネット本体２０に対する被ガイド部３０Ｂの位置決めを容易に行い得る。抜止めシート部３４の直交方向Ｂにおける厚さ寸法はガイド溝１７Ａの開口１７Ｂの幅寸法Ｗよりも大きい寸法とされている。抜止めシート部３４はガイド溝１７Ａに配置される。このため、ネット本体２０がガイド溝１７ＡからＹ軸方向に引き抜かれようとしても、抜止めシート部３４が開口形成片部１７３に当たるので、ネット本体２０が抜止めされる。
前述した被ガイド部３０Ｂを有したロール網戸では、ネット１２の巻取状態において抜止めシート部３４が直交方向Ｂに重ねられ、当接外面３４Ａが当接内面３４Ｂと当接する。このようにフラットな当接外面３４Ａおよび当接内面３４Ｂが当接するので、ネット１２の巻取りにおいてネット本体２０の側縁部の軸方向Ａへの位置ズレを抑制し、この位置ズレに起因してネット本体２０に皺などが発生することを抑えられる。
【００２０】
可動框２４Ｂは、図８に示す断面形状のアルミ押出形材によって形成されている。可動框２４Ｂは、一対の框見付け片部２４１，２４２および框見込み片部２４３と、框見付け片部２４１，２４２に連続した一対の開口形成片部２４４と、框見込み片部２４３および開口形成片部２４４の間で框見付け片部２４１，２４２を連結した連結片部２４５とを有しており、連結片部２４５には、一対の開口形成片部２４４によって形成される開口２４４Ａ側に位置する係合筒部２４６が可動框２４Ｂの長手方向に沿って形成されている。係合筒部２４６には、可動框２４Ｂの長手方向に沿ったスリット２４６Ａを有して断面略Ｃ字状に形成されている。
ネット本体２０の繰出し側における端縁にはループ状に縫製された被係合筒部２０１が形成されており、被係合筒部２０１には網戸ロープ等によって形成される芯材２７が挿入されている。ここで、芯材２７の径寸法は開口２４４Ａの幅寸法よりも大きい寸法とされている。このため、芯材２７を通した被係合筒部２０１を係合筒部２４６内に挿入し且つネット本体２０をスリット２４６Ａに通すことで、ネット１２は可動框２４Ｂに係合される。
このようにネット１２が係合された可動框２４Ｂを開閉操作することで、ネット１２を繰出し、また、巻取軸１３Ａに巻き取らせる操作が可能である。
【００２１】
なお、第２実施形態では、抜止めシート部３４は接続テープ部３５に対して直交方向Ｂにおける外側に突出して形成されているが、これに限らず、例えば図９に示す変形例のように、接続テープ部３５に対して直交方向Ｂにおける内側にも突出して形成されていてもよい。
また、第１、第２実施形態では、可動框２４，２４Ｂを左右方向に操作可能な横スライド式のロール網戸１を説明したが、このほか、可動框２４，２４Ｂを上下方向に操作可能な上下スライド式のロール網戸であってもよい。
【００２２】
[本発明のまとめ]
本発明のロール網戸は、巻取軸と、前記巻取軸に繰出し可能に巻き取られたネットと、前記ネットを繰出し方向に案内するガイドレールとを備えており、前記ネットは、ネット本体と、前記ネット本体の前記繰出し方向に沿った側縁部に形成された被ガイド部とを有しており、前記ガイドレールは、一対の側壁部と、前記一対の側壁部の間に配置された底壁部と、前記一対の側壁部から互いに近接する方向に延出した一対の開口形成片部とを有しており、前記一対の側壁部、前記底壁部および前記一対の開口形成片部によってガイド溝が形成されていると共に、前記一対の開口形成片部によって前記ガイド溝の開口が形成されており、前記被ガイド部は、前記ネット本体に取り付けられた接続テープと、前記接続テープによって前記ネット本体に接続されていると共に前記ガイド溝に配置された抜止めシートとを有しており、前記ネット本体、前記接続テープおよび前記抜止めシートが前記巻取軸の軸方向および前記繰出し方向に直交する方向に合わさった厚さ寸法は、前記ガイド溝の開口幅寸法よりも大きい寸法とされており、前記抜止めシートには、前記ネット本体に沿ったフラットな当接外面が形成されていることを特徴とする。
本発明のロール網戸によれば、ネット本体、接続テープおよび抜止めシートを合わせた厚さ寸法がガイド溝の開口幅寸法よりも大きい寸法とされているので、ネットの繰出しや巻取りに際してネット本体が巻取軸の軸方向内側へ抜ける方向に位置ズレしようとしても、ガイド溝にある抜止めシートがガイドレールの開口形成片部に当接することで、ネット本体を抜け止めすることができる。
また、ネットが巻取軸に巻き取られる際、抜止めシートはネット本体と共に撓められ、当接外面はネットのうち巻取軸の軸方向に直交する方向に対向する部分に重ね合わされる。具体的には、抜止めシートがネット本体の両面のうちの一方の面側にあって接続テープとの間にネット本体を挟んで配置される場合には当接外面が接続テープに重ね合わされ、抜止めシートがネット本体の両面のうちの一方の面側にあってネット本体との間に接続テープを挟んで配置される場合には当接外面がネット本体に重ね合わされ、抜止めシートがネット本体の両面側にある場合には、当該両面のうちの一方の面側にある抜止めシートの当接外面が他方の面側にある抜止めシートの当接外面に重ね合わされる。このため、ネットの巻取状態では抜止めシートのフラットな当接外面が接続テープ、ネット本体や他のフラットな当接外面に重ね合わされるので、これらが巻取時に押し付けあっても、ネットの側縁部が軸方向に位置ズレするおそれをなくすことができる。
加えて、ネット本体を抜け止めする抜止めシート自体に前述したフラットな当接外面を形成したので、巻取時に重ね合わされる当接部を抜止めシートとは別個に設ける必要がなくロール網戸を簡易な構成にできる。
【００２３】
本発明のロール網戸では、前記抜止めシートはゴムシートによって構成されており、前記接続テープは布テープによって構成されており、前記抜止めシート、前記接続テープおよび前記ネット本体は縫製によって接合されていてもよい。
このような構成によれば、例えば抜止めシート、接続テープおよびネット本体を接着によって接合する場合と比べて、縫製によって一工程で接合することができて製造コストを低減できる。
また、抜止めシートがゴムシートによって構成され、接続テープが布テープによって構成されているので、抜止めシートおよび接続テープの可撓性などの特性が異なるが、これらを縫製によって接合することで、例えば接着によって接合する場合と比べて、ネットの繰出しや巻取りによって分離しにくい構成にできる。
【００２４】
本発明のロール網戸では、前記抜止めシートは、前記ネット本体の両面のうちの一方の面側に配置されており、前記接続テープは、前記ネット本体の両面のうちの他方の面側に配置されていてもよい。
このような構成によれば、ネットの巻取状態では抜止めシートの当接外面がネット本体ではなく接続テープに当接するので、例えば当接外面がネット本体と当接する場合と比べて当接面積を増やすことができ、ネットの巻取りにおける側縁部の軸方向への位置ズレをより強く抑制することができる。
また、抜止めシートがネット本体の両面のうちの一方の面側に配置されているだけなので、例えば抜止めシートがネット本体の両面側に配置される場合と比べて、ネットの側縁部の厚さ寸法を小さくでき、これにより、ネットの巻取状態における径寸法を小さくすることができる。
【００２５】
本発明のロール網戸では、前記抜止めシートは、前記ネット本体の両面側に配置されており、前記接続テープは、前記ネット本体の両面のうちの少なくとも片面側に配置されていてもよい。
このような構成によれば、ネットの巻取状態では抜止めシート、すなわちゴムシートの当接外面同士が当接するので、例えば抜止めシートが接続テープやネット本体と当接する場合と比べて、滑りが生じにくくなり、ネットの巻取りにおける側縁部の軸方向への位置ズレをより強く抑制することができる。
【００２６】
本発明のロール網戸では、前記抜止めシートは、前記ネット本体の両面のうちの一方の面側に配置されており、前記接続テープは、前記ネット本体の前記一方の面側であって前記抜止めシートおよび前記ネット本体の間に配置されていてもよい。
このような構成によれば、ネットを巻取軸に巻取りはじめる際、巻取軸の周面には接続テープなどが介在されることなくネット本体だけが巻き回されるので、ネット本体自体に段部等が形成されずに巻き回すことができる。
【００２７】
本発明のロール網戸では、前記抜止めシートの幅寸法は、１ｍｍ以上の寸法とされていてもよい。
このような構成によれば、ネット本体および接続テープとまとめて縫製接合する際に切れにくい構成にできる。
【００２８】
本発明のロール網戸では、前記ネット本体は、互いに交差する経糸および緯糸を有しており、前記ネット本体の経糸および緯糸の交点は融着されており、前記ネット本体の経糸および緯糸の線径は０．０５〜０．３０ｍｍの範囲で設定されており、前記ネット本体の各編目の開口幅寸法は０．５ｍｍ〜１．５ｍｍの範囲で設定されていてもよい。
このような構成によれば、例えば前述した線径よりも太い経糸および緯糸によって形成されたネット本体と比べて、各編目の開口幅寸法を小さくできるものの、ネット本体が捩れて皺が生じやすく、ネットの巻取時にその側縁部が軸方向へ位置ズレしやすい構成となる。このようなネット本体を採用した場合であっても、本発明では抜止めシートにフラットな当接外面を形成することで前述したようにネットの側縁部が軸方向へ位置ズレすることを抑制できる。
【００２９】
本発明のロール網戸の他の形態は、巻取軸と、前記巻取軸に繰出し可能に巻き取られたネットと、前記ネットを繰出し方向に案内するガイドレールとを備えており、前記ネットは、ネット本体と、前記ネット本体の前記繰出し方向に沿った側縁部に形成された被ガイド部とを有しており、前記ガイドレールは、一対の側壁部と、前記一対の側壁部の間に配置された底壁部と、前記一対の側壁部から互いに近接する方向に延出した一対の開口形成片部とを有しており、前記一対の側壁部、前記底壁部および前記一対の開口形成片部によってガイド溝が形成されていると共に、前記一対の開口形成片部によって前記ガイド溝の開口が形成されており、前記被ガイド部は、前記ネット本体に取り付けられた接続テープ部と、前記接続テープ部と一体に形成されて前記ガイド溝に配置された抜止めシート部とを有しており、前記ネット本体および前記接続テープ部が合わさった厚さ寸法は、前記ガイド溝の開口幅寸法よりも小さい寸法とされており、前記抜止めシート部の厚さ寸法は、前記ガイド溝の開口幅寸法よりも大きい寸法とされており、前記抜止めシート部は、前記ネットの巻取状態において重なるフラットな当接外面および当接内面が形成されていることを特徴とする。
このような構成によれば、抜止めシート部の厚さ寸法がガイド溝の開口幅寸法よりも大きい寸法とされているので、ネットの繰出しや巻取りに際してネット本体が巻取軸の軸方向内側へ抜ける方向に位置ズレしようとしても、ガイド溝にある抜止めシート部がガイドレールの開口形成片部に当接することで、ネット本体を抜け止めすることができる。
また、ネットが巻取軸に巻き取られる際、抜止めシート部はネット本体と共に撓められて巻取軸の軸方向に直交する方向に重ねられ、当接外面および当接内面が当接する。このように抜止めシート部はそのフラットな当接外面および当接内面が互いに当接しながら重ね合わされるので、ネットの側縁部が軸方向に位置ズレするおそれをなくすことができる。
加えて、ネット本体を抜け止めする抜止めシート部に前述したフラットな当接外面および当接内面を形成したので、巻取時に重ね合わされる当接部を抜止めシート部とは別個に設ける必要がなくロール網戸を簡易な構成にできる。
更に、接続テープ部および抜止め部が一体に形成されているので、例えばこれらを別体とする場合と比べ、被ガイド部を精度よく形成でき、寸法誤差が小さくなる分、抜止めシート部の厚さ寸法を小さくできる。
【００３０】
本発明のロール網戸では、前記ネットを繰出し操作可能な可動框を備えており、前記可動框には、その長手方向に沿ったスリット付きの係合筒部が形成されており、前記ネット本体の繰出し側における端縁には被係合筒部が形成されており、前記被係合筒部には、芯材が通されて前記係合筒部と係合されていてもよい。
このような構成によれば、ネット本体の被係合筒部を芯材が通された状態で可動框の係合筒部に挿入するだけでネット本体を可動框に係合できるので、例えばネット本体の繰出し側における端縁に被係合棒体を取り付け且つ被係合棒体が係合する係合レール体を可動框に取り付ける場合と比べ、部品点数を減らすことができる。
【符号の説明】
【００３１】
１…ロール網戸、１１…網戸枠、１２…ネット、１３…収納ケース、１３Ａ…巻取軸、１４…当接枠、１５…上レール枠、１６…下レール枠、１７…ガイドレール、１７Ａ…ガイド溝、１７Ｂ，２４４Ａ…開口、２０…ネット本体、２０１…被係合筒部、２１…経糸、２２…緯糸、２４，２４Ｂ…可動框、２４６…係合筒部、２４６Ａ…スリット、２７…芯材、３０，３０Ｂ…被ガイド部、３１，３３…抜止めシート、３１Ａ，３４Ａ…当接外面、３２…接続テープ、３４…抜止めシート部、３４Ｂ…当接内面、３４Ｃ…側面、３５…接続テープ部、１７１…底壁部、１７２…側壁部、１７３，２４４…開口形成片部、Ａ…軸方向、Ｂ…直交方向、Ｔ…厚さ寸法、Ｗ，Ｗ１，Ｗ２…幅寸法。
【図１】
2019190267.tif 000003
【図２】
2019190267.tif 000004
【図３】
2019190267.tif 000005
【図４】
2019190267.tif 000006
【図５】
2019190267.tif 000007
【図６】
2019190267.tif 000008
【図７】
2019190267.tif 000009
【図８】
2019190267.tif 000010
【図９】
2019190267.tif 000011